(57)【要約】携帯型無線装置に表示機能を設け、無線情報配信装置から配信される情報を表示できるようにする。無線情報配信装置から配信される情報は、例えば携帯型無線装置のユーザが利用予定の電車の運行状況や乗換駅に係る情報である。
2002025984.tif 000002
【特許請求の範囲】
【請求項１】
無線情報配信装置と携帯無線装置とを備える無線情報配信システムであって、
前記無線情報配信装置は、
サービス情報を記憶する記憶部と、
通信圏内の前記携帯無線装置と無線通信を行う外部送受信装置と、
前記外部送受信装置により前記サービス情報を要求する旨のサービス要求情報が受信されたとき、当該サービス要求情報に対応したサービス情報を前記記憶部から抽出し、当該外部送受信装置により送信する制御部とを備え、
前記携帯無線装置は、
無線通信を行う送受信部と、
ユーザの所望するサービスを表すサービス要求情報を記憶する記憶部と、
表示部と、
前記外部送受信装置の通信圏内に入ったときに、無線通信が可能な状態である旨を表わす信号を当該外部送受信装置へ前記送受信部により送信し、さらに前記記憶部に記憶された前記サービス要求情報を当該外部送受信装置へ送信し、当該サービス要求情報への応答として当該外部送受信装置から受信されるサービス情報を前記表示部により表示する制御部と
を備えること特徴とする無線情報配信システム。
【請求項２】
請求項１に記載の無線情報配信システムであって、
前記外部送受信装置は、各々一定時間間隔で通信要求信号を送信し、
前記携帯無線装置の制御部は、当該送受信部により前記通信要求信号が受信されたとき、当該送受信部によりサービス要求情報を送信する
ことを特徴とする無線情報配信システム。
【請求項３】
請求項１に記載の無線情報配信システムであって、
前記サービス要求情報は、該ユーザの出発地、目的地を含む、ユーザ交通情報であり、
前記無線情報配信装置の記憶部は、交通手段の運行状況を示すサービス情報を記憶し、
前記無線情報配信装置の制御部は、前記サービス要求情報に含まれる前記ユーザ交通情報によって特定される交通手段の運行状況を示すサービス情報を前記無線情報配信装置の記憶部から抽出する
ことを特徴とする無線情報配信システム。
【請求項４】
請求項１に記載の無線情報配信システムであって、
前記サービス要求情報は、該ユーザの出発地、目的地を含む、ユーザ交通情報であり、
前記無線情報配信装置の記憶部は、出発地と目的地の複数の組み合わせの各々に対応づけて当該出発地から当該目的地まで移動するための交通手段を示す情報を含むとともに、必要な場合には、乗換地点に係る情報及び乗換方法を示す情報をも含むサービス情報を記憶し、
前記無線情報配信装置の制御部は、受信したサービス要求情報に含まれるユーザ交通情報に対応したサービス情報を抽出する
ことを特徴とする無線情報配信システム。
【請求項５】
請求項１記載の無線情報配信システムであって、
前記サービス要求情報は、ユーザを特定するユーザ情報と、ユーザの入退場要求を表わすユーザ入退場要求情報とを含んでおり、
前記無線情報配信装置は、
入退場規制装置を有しており、
各入退場規制装置の近傍には、前記外部送受信装置のうち少なくとも一つの外部送受信装置が配置され、
前記外部送受信装置は、
前記無線情報配信装置の制御部は、前記外部送受信装置のいずれか一つより前記入退場要求情報を受信すると、当該ユーザの入場を許可、不許可を判断し、該判断にもとづいて当該外部送受信装置の近傍に設置された入退場制御装置を制御する
ことを特徴とする無線情報配信システム。
【請求項６】
請求項１記載の無線情報配信システムであって、
前記サービス要求情報は、さらにユーザの属性情報を表わすユーザ属性情報を含んでおり、
前記無線情報配信装置の記憶部は、前記サービス情報と前記複数のユーザ属性情報とを対応付けて記憶しており、
前記無線情報配信装置の制御部は、前記サービス要求に含まれるユーザ属性情報に対応付けられたサービス情報を前記記憶部から抽出する
ことを特徴とする無線情報配信システム。
【請求項７】
請求項１記載の無線情報配信システムであって、
前記携帯無線装置が受信するサービス情報は、送受信が行われる時刻に対応したリアルタイムな情報である
ことを特徴とする無線情報配信システム。
【請求項８】
請求項１記載の無線情報配信システムであって、
前記携帯無線装置が受信するサービス情報は、前記無線情報配信装置が設置される場所に固有のローカルな情報である
ことを特徴とする無線情報配信システム。
【請求項９】
サービス情報を記憶する記憶部と、
通信圏内の携帯無線装置と無線通信を行う外部送受信装置と、
前記外部送受信装置により、前記サービス情報を要求する旨のサービス要求情報が受信されたとき、当該サービス要求情報に対応したサービス情報を前記記憶部から抽出し、当該外部送受信装置により送信する制御部と
を備えることを特徴とする無線情報配信装置。
【請求項１０】
請求項９記載の無線情報配信装置であって、
入退場規制装置を有しており、
前記入退場規制装置の近傍には、外部送受信装置が配置されており、
前記制御部は、前記外部送受信装置によりユーザを特定するユーザ情報とユーザ入退場要求とを受信すると、当該情報に基づいてユーザ当該ユーザの入場を許可、不許可を判断し、該判断にもとづいて当該外部送受信装置の近傍に設置された入退場制御装置を制御する
ことを特徴とする無線情報配信装置。
【請求項１１】
請求項９記載の無線情報配信装置であって、
前記サービス要求情報は、さらにユーザの属性情報を表わすユーザ属性情報を含んでおり、
前記記憶部は、前記サービス情報と前記複数のユーザ属性情報とを対応付けて記憶しており、
前記制御部は、前記サービス要求に含まれるユーザ属性情報に対応付けられたサービス情報を前記記憶部から抽出する
ことを特徴とする無線情報配信装置。
【請求項１２】
請求項９記載の無線情報配信装置であって、
前記サービス要求情報は、当該ユーザの出発地、目的地を含むユーザ交通情報であり、
前記記憶部は交通手段の運行状況を示すサービス情報を記憶し、
前記制御部は、前記サービス要求情報に含まれる前記ユーザ交通情報によって特定される交通手段の運行状況を示すサービス情報を前記記憶部から抽出する
ことを特徴とする無線情報配信装置。
【請求項１３】
請求項９記載の無線情報配信装置であって、
前記サービス要求情報は、該ユーザの出発地、目的地を含む、ユーザ交通情報であり、
前記記憶部は、交通手段、前記出発地と目的地の複数の組み合わせの各々に対応付けて当該出発地から当該目的地まで移動する為の交通手段を示す情報を含むとともに、必要な場合には乗換地点に係る情報及び乗換方法を示す情報をさらに含むサービス情報を記憶し、
乗換地点、及び乗換方法を示すサービス情報を記憶し、
前記制御部は、受信したサービス情報要求情報に含まれるユーザ交通情報に対応した前記交通手段を示す情報、乗換地点に係る情報、及び乗換方法を示す情報を含むサービス情報を抽出する
ことを特徴とする無線情報配信装置。
【請求項１４】
請求項１３に記載の無線情報配信装置において、
前記乗換方法を示すサービス情報は、前記乗換地点において前記交通手段を変更する際のユーザの道程を示す情報を含む
ことを特徴とする無線情報配信装置。
【請求項１５】
請求項１４に記載の無線情報配信装置において、
前記乗換方法を示すサービス情報は、前記乗換地点において前記交通手段を変更するためにユーザが使用すべき階段、エスカレータ、エレベータのいずれか一以上の情報を含む
ことを特徴とする無線情報配信装置。
【請求項１６】
請求項１３に記載の無線情報配信装置において、
前記乗換地点を示す情報は、前記乗換地点において前記交通手段を変更するために前記ユーザが所要する時間に係る情報を含む
ことを特徴とする無線情報配信装置。
【請求項１７】
請求項１３に記載の無線情報配信装置において、前記交通手段は電車、バス、飛行機、船のいずれか一以上を含むものである
ことを特徴とする無線情報配信装置。
【請求項１８】
請求項９に記載の無線情報配信装置において、
前記外部送受信装置は、一定時間間隔で通信要求信号を送信する
ことを特徴とする無線情報配信装置。
【請求項１９】
無線情報配信装置の外部送受信装置の通信圏内において、無線通信を行う携帯無線装置であって、
無線通信を行う送受信部と、
前記ユーザの所望するサービスを表わすサービス要求情報を記憶する記憶部と、表示部と
を備え、
前記外部送受信装置の通信圏内に入ったときに、無線通信が可能な状態である旨を表わす信号を当該外部送受信装置へ当該受信部により送信し、さらに前記記憶部に記憶された前記サービス要求情報を当該外部送受信装置へ送信し、当該サービス要求情報への応答として当該外部送受信装置より受信されるサービス情報を前記表示部により表示する制御部と
を備えることを特徴とする携帯無線装置。
【請求項２０】
請求項１９記載の携帯無線装置であって、
前記記憶部は、さらにユーザを特定するユーザ情報を記憶しており、
前記サービス要求情報は、前記ユーザ情報と、ユーザの入退場要求を表わすユーザ入退場要求情報とをさらに含む
ことを特徴とする携帯無線装置。
【請求項２１】
請求項１９記載の携帯無線装置であって、
前記記憶部は、さらにユーザの属性情報を表わすユーザ属性情報を含んでおり、前記サービス要求情報は、前記ユーザ属性情報を含み、
前記送受信部が受信するサービス情報は、当該属性情報に対応したサービス情報である
ことを特徴とする携帯無線装置。
【請求項２２】
請求項１９記載の携帯無線装置であって、
前記記憶部は、ユーザの出発地、目的地を含む、ユーザ交通情報を記憶し、
前記サービス要求情報は、前記ユーザ交通情報を含み、
前記送受信部が受信するサービス情報は、前記ユーザ交通情報によって特定される交通手段の運行状況を示す情報である
ことを特徴とする携帯無線装置。
【請求項２３】
請求項１９記載の携帯無線装置であって、
前記サービス要求情報は、ユーザの出発地、目的地を含む、ユーザ交通情報であり、
前記送受信部が受信するサービス情報は、当該出発地から当該目的地まで移動する為の交通手段を示す情報を含むとともに、乗換地点に関する情報及び乗換方法を示す情報をさらに含むサービス情報である
ことを特徴とする携帯無線装置。
【請求項２４】
請求項１９に記載の携帯無線装置であって、
前記送受信部は、前記外部送受信装置の一つから通信要求信号を受信した場合に、当該外部送受信装置と通信を行う
ことを特徴とする携帯無線装置。
【請求項２５】
請求項１９に記載の携帯無線装置であって、
前記表示部は、前記外部送受信装置から受信したサービス情報を一定期間表示した後、時刻を表示するものである
ことを特徴とする携帯無線装置。
【請求項２６】
サービス情報を記憶する記憶部と、通信圏内の携帯無線装置と無線通信を行う外部送受信装置と、制御部とを有する無線情報配信装置の制御方法であって、
サービス情報を記憶する過程と、
前記外部送受信装置により、前記サービス情報を要求する旨のサービス要求情報を受信する過程と、
当該サービス要求情報に対応したサービス情報を抽出する過程と、
抽出したサービス情報を当該外部送受信装置により送信する過程と
を有することを特徴とする無線情報配信装置の制御方法。
【請求項２７】
請求項２６記載の制御方法において、
前記無線情報配信装置は、入退場規制装置を有しており、
前記入退場規制装置の近傍には、前記外部送受信装置が配置されており、
前記制御部は、前記外部送受信装置により、ユーザを特定するユーザ情報とユーザの入退場要求を受信する過程と、
前記受信したユーザ情報に基づいて当該ユーザの入場を許可、不許可を判断し、該判断にもとづいて当該外部送受信装置の近傍に設置される入退場制御装置にユーザの入場を制御する動作を行わせる過程を
さらに有することを特徴とする無線情報配信装置の制御方法。
【請求項２８】
請求項２６記載の制御方法において、
前記サービス要求情報は、ユーザの属性情報を表わすユーザ属性情報を含んでおり、
前記サービス情報と前記複数のユーザ属性情報とを対応付けて記憶する過程と、前記サービス要求に含まれるユーザ属性情報に対応付けられたサービス情報を抽出する過程と
をさらに有することを特徴とする無線情報配信装置の制御方法。
【請求項２９】
請求項２６記載の制御方法において、
前記サービス要求情報は、ユーザの出発地、目的地を含むユーザ交通情報であり、
交通手段の運行状況を示すサービス情報を記憶する過程と、
前記受信したサービス要求情報に含まれる前記ユーザ交通情報対応した交通手段を特定する過程と、
前記特定された交通手段の運行状況を示すサービス情報を抽出する過程と
ことを特徴とする無線情報配信装置の制御方法。
【請求項３０】
請求項２６記載の制御方法において、
前記サービス要求情報は、前記ユーザの出発地、目的地を含む、ユーザ交通情報であり、
出発地と目的地の複数の組み合わせの各々に対応付けて当該出発地から当該目的地まで移動する為の交通手段を示す情報、乗換地点に係る情報、乗換方法を示す情報を含むサービス情報を記憶する過程と、
前記サービス要求情報に含まれるユーザ交通情報に対応する交通手段を示す情報、乗換地点に係る情報、及び乗換方法を示す情報を含むサービス情報を抽出する過程と
を有すること特徴とする無線情報配信装置の制御方法。
【請求項３１】
無線通信を行う送受信部と、ユーザの所望するサービスを表わすサービス要求情報を記憶する記憶部と、表示部とを備え、無線線情報配信装置の外部送受信装置の通信圏内において、無線通信を行う携帯無線装置の制御方法であって、
前記外部送受信装置の通信圏内に入ったときに、無線通信が可能な状態である旨を表わす信号を当該外部送受信装置へ当該送受信部により送信する過程と、
前記記憶部に記憶された前記サービス要求情報を当該外部送受信装置へ送信する過程と、
当該サービス要求情報への応答として当該外部送受信装置よりサービス情報を受信する過程と、
受信したサービス情報を前記表示部により表示する過程と
を有することを特徴とする携帯無線装置の制御方法。
【請求項３２】
請求項３１記載の制御方法において、
前記サービス要求情報は、ユーザを特定するユーザ情報と、ユーザの入退場要求情報とをさらに含む
ことを特徴とする携帯無線装置の制御方法。
【請求項３３】
請求項３１記載の制御方法において、
前記サービス要求情報は、ユーザの属性情報を表わすユーザ属性情報を含み、
前記送受信部が受信するサービス情報は、当該属性情報に対応した情報である
ことを特徴とする携帯無線装置の制御方法。
【請求項３４】
請求項３１記載の制御方法において、
前記サービス要求情報は、ユーザの出発地、目的地を含む、ユーザ交通情報を含み、
前記送受信部が受信するサービス情報は、前記ユーザ交通情報によって特定される交通手段の運行状況を示す情報をさらに含む
ことを特徴とする携帯無線装置の制御方法。
【請求項３５】
請求項３１記載の制御方法において、
前記サービス要求情報は、該ユーザの出発地、目的地を含む、ユーザ交通情報であり、
前記送受信部が受信するサービス情報は、ユーザ交通情報に含まれるユーザ交通情報に対応した、当該ユーザの出発地から目的地まで移動するための交通手段を示す情報、乗換地点に係る情報、及び乗換方法を示す情報含む当該ユーザの行程に関する情報をさらに含む
ことを特徴とする携帯無線装置の制御方法。
【請求項３６】
サービス情報を記憶する記憶部と、通信圏内の携帯無線装置と無線通信を行う外部送受信装置と、制御部とを有する無線情報配信装置の制御するためのプログラムであって、
サービス情報を記憶する機能と、
前記外部送受信装置により、前記サービス情報を要求する旨のサービス要求情報が受信する機能と、
当該サービス要求情報に対応したサービス情報を抽出する機能と、
抽出したサービス情報を当該外部送受信装置により送信する機能と
をコンピュータに実現させるための無線情報配信装置の制御プログラム。
【請求項３７】
無線通信を行う送受信部と、ユーザの所望するサービスを表わすサービス要求情報を記憶する記憶部と、表示部とを備え、無線線情報配信装置の外部送受信装置の通信圏内において、無線通信を行う携帯無線装置の制御するための制御プログラムであって、
前記外部送受信装置の通信圏内に入ったときに、無線通信が可能な状態である旨を表わす信号を当該外部送受信装置へ当該送受信部により送信する機能と、
前記サービス要求情報を当該外部送受信装置へ送信する機能と、
前記記憶部に記憶された当該サービス要求情報への応答として当該外部送受信装置よりサービス情報を受信する機能と、
受信したサービス情報を前記表示部により表示する機能と
をコンピュータに実現させるための携帯無線装置の制御プログラム。
【請求項３８】
サービス情報を記憶する記憶部と、通信圏内の携帯無線装置と無線通信を行う外部送受信装置と、制御部とを有する無線情報配信装置を制御するためのプログラムが格納される記憶媒体であって、
サービス情報を記憶する機能と、
前記外部送受信装置により、前記サービス情報を要求する旨のサービス要求情報を受信する機能と、
当該サービス要求情報に対応したサービス情報を抽出する機能と、
抽出したサービス情報を当該外部送受信装置により送信する機能と
をコンピュータに実現させるための無線情報配信装置の制御プログラムがコンピュータ読み取り可能に格納された記憶媒体。
【請求項３９】
無線通信を行う送受信部と、ユーザの所望するサービスを表わすサービス要求情報を記憶する記憶部と、表示部とを備え、無線線情報配信装置の外部送受信装置の通信圏内において、無線通信を行う携帯無線装置の制御するための制御プログラムが格納される記憶媒体であって、
前記制御プログラムは、
前記外部送受信装置の通信圏内に入ったときに、無線通信が可能な状態である旨を表わす信号を当該外部送受信装置へ当該送受信部により送信する機能と、
前記記憶部に記憶された前記サービス要求情報を当該外部送受信装置へ送信する機能と、
当該サービス要求情報への応答として当該外部送受信装置よりサービス情報を受信する機能と、
受信したサービス情報を前記表示部により表示する機能と
をコンピュータに実現させるための携帯無線装置の制御プログラムが格納された記憶媒体。
【発明の詳細な説明】
技術分野
本発明は、無線情報配信システム及び、これを構成する無線情報配信装置と携帯型無線装置に係るものである。
背景技術
非接触ＩＣ（Ｉｎｔｅｇｒａｔｅｄ　Ｃｉｒｃｕｉｔ）カードを利用した入退場システムが各種提案されている。その典型例として、次のような入退場システムがある。まず、ある特定エリア内において、あるサービスが提供されている。このサービスを受ける資格を有する者は、その資格を証明する情報を無線送信する非接触ＩＣカードを携帯している。また、特定のエリアの入り口には、一定距離内に接近した非接触ＩＣカードと無線通信を行うカードリーダ／ライタが設置される。非接触ＩＣカードを携帯した者がこのカードリーダ／ライタに近づくと、非接触ＩＣカードとカードリーダ／ライタとの間において無線通信が行われる。この無線通信の過程においてサービスを受ける資格を証明する情報が非接触ＩＣカードからカードリーダ／ライタに送られる。この結果、非接触ＩＣカードの所持者は、入場資格が認められ、特定エリア内への入場が認められる。
このような入場の規制だけでなく、入場の際にサービスの提供の対価を同時に精算するようにした入退場システムも提案されている。その典型例は、鉄道の駅に設置される改札システムである。この改札システムを利用する乗客は、目的地や乗車料金を表す情報を記憶した非接触ＩＣカードを携帯する。駅の改札口にはカードリーダ／ライタが設置されている。乗客が駅の改札口を通過するとき、目的地や乗車料金を表す情報が非接触ＩＣカードからカードリーダ／ライタに送られ、鉄道輸送サービスを受ける資格の確認と乗車料金の精算が行われるのである。
ところで、ある者があるサービスを受けるために特定エリアに入場した後、そのサービスを受ける上で不都合な事態が発生することがある。例えば、緊急に電車が運休したような場合、基本的には、乗客は運休した電車に関する情報を取得するために、常に乗駅構内放送に耳を傾けるか、或いはわざわざ駅職員を探してその情報について尋ねなければならない。一方、駅員は例えば事故のために電車が遅れるといった緊急の情報を必ずしも迅速に入手できるとは限らない。そのため、このような不測の事態が起こると、すべての乗客に情報を迅速かつ正確に伝えることが困難な場合がある。
また、情報不足のため、入場者がサービスを満足に受けることができないような場合もある。例えば、従来、複数の電車を乗り継いで目的地に行こうとする乗客は、乗車すべき電車が発着するホーム番線の情報、乗換駅において電車の乗換を行うための道程を確認する必要があり、この際、駅に設置されている案内板を見て確認するか、または駅構内放送を聞く必要がある。そのため、乗客は勿論、駅職員も精神的負担を強いられている。
発明の開示
本発明は、以上の点を考慮して行われたものであり、ユーザの所望する情報（例えば、電車の乗換に関する、乗客がこれから必要となる情報、あるいは電車が運休したとういような、緊急性の高い情報）を、ユーザに迅速、正確、かつ分かりやすく、しかも場所を選ばずに提供すると同時に情報提供側の労力を軽減することを目的とするものである。
上述した課題を解決するために、本発明における無線情報配信システムは、
無線情報配信装置と携帯無線装置とを備え、
前記無線情報配信装置は、
サービス情報を記憶する記憶部と、
通信圏内の携帯無線装置と無線通信を行う外部送受信装置と、
前記外部送受信装置により前記サービス情報を要求する旨を表すサービス要求情報が受信されたとき、当該サービス要求情報に対応したサービス情報を前記記憶部から抽出し、当該外部送受信装置により送信する制御部とを備え、
前記携帯無線装置は、
無線通信を行う送受信部と、
ユーザの所望するサービスを表すサービス要求情報を記憶する記憶部と、
表示部と、
前記外部送受信装置の通信圏内に入ったときに、無線通信が可能な状態である旨を表わす信号を当該外部送受信装置へ当該送受信部により送信し、さらに前記記憶部に記憶された前記サービス要求情報を当該送受信部へ送信し、当該サービス要求情報への応答として当該外部送受信装置から受信されるサービス情報を前記表示部により表示する制御部とを備えることを特徴とする。
また、好ましい態様において、
前記外部送受信装置は、各々一定時間間隔で通信要求信号を送信し、
前記携帯無線装置の制御部は、当該送受信部により前記通信要求信号が受信されたとき、当該送受信部によりサービス要求情報を送信する
ことを特徴とする。
さらに好ましい態様において、
前記サービス要求情報は、該ユーザの出発地、目的地を含む、ユーザ交通情報であり、
前記無線情報配信装置の記憶部は、交通手段の運行状況を示すサービス情報を記憶し、
前記無線情報配信装置の制御部は、前記サービス要求情報に含まれる前記ユーザ交通情報によって特定される交通手段の運行状況を示すサービス情報を前記無線情報配信装置の記憶部から抽出することを特徴とする。
さらに別の好ましい態様において、
前記サービス要求情報は、該ユーザの出発地、目的地を含む、ユーザ交通情報であり、
前記無線情報配信装置の記憶部は、出発地と目的地の複数の組み合わせの各々に対応づけて当該出発地から当該目的地まで移動するための交通手段を示す情報を含むとともに、必要な場合には、乗換地点に係る情報及び乗換方法を示す情報をも含むサービス情報を記憶し、
前記無線情報配信装置の制御部は、受信したサービス要求情報に含まれるユーザ交通情報に対応したサービス情報を抽出することを特徴とする。
さらに別の好ましい態様において、
前記サービス要求情報は、ユーザを特定するユーザ情報と、ユーザの入退場要求を表わすユーザ入退場要求情報とを含んでおり、
前記無線情報配信装置は、
入退場規制装置を有しており、
各入退場規制装置の近傍には、前記外部送受信装置のうち少なくとも一つの外部送受信装置が配置され、
前記外部送受信装置は、
前記無線情報配信装置の制御部は、前記外部送受信装置のいずれか一つより前記入退場要求情報を受信すると、当該ユーザの入場を許可、不許可を判断し、該判断にもとづいて当該外部送受信装置の近傍に設置された入退場制御装置を制御する
ことを特徴とする。
さらに別の好ましい態様において、
前記サービス要求情報は、さらにユーザの属性情報を表わすユーザ属性情報を含んでおり、
前記無線情報配信装置の記憶部は、サービス情報と前記複数のユーザ属性情報とを対応付けて記憶しており、
前記無線情報配信装置の制御部は、前記サービス要求に含まれるユーザ属性情報に対応付けられたサービス情報を前記記憶部から抽出することを特徴とする。
前記無線情報配信システムのさらに別の好ましい態様において、
前記携帯無線装置が受信するサービス情報は、送受信が行われる時刻に対応したリアルタイムな情報である
ことを特徴とする。
前記無線情報配信システムのさらい別の好ましい態様において、
前記携帯無線装置が受信するサービス情報は、前記無線情報配信装置が設置される場所に固有のローカルな情報である
ことを特徴とする。
本発明における無線情報配信装置は、サービス情報を記憶する記憶部と、
通信圏内の携帯無線装置と無線通信を行う外部送受信装置と、
前記外部送受信装置により、前記サービス情報を要求する旨のサービス要求情報が受信されたとき、当該サービス要求情報に対応したサービス情報を前記記憶部から抽出し、当該外部送受信装置により送信する制御部とを備える
ことを特徴とする。
好ましい態様において、前記無線情報配信装置は、
入退場規制装置を有しており、
前記入退場規制装置の近傍には、前記外部送受信装置が配置されており、
前記制御部は、前記外部送受信装置によりユーザを特定するユーザ情報とユーザ入退場要求とを受信すると、当該情報に基づいてユーザ当該ユーザの入場を許可、不許可を判断し、該判断にもとづいて当該外部送受信装置の近傍に設置された入退場制御装置を制御することを特徴とする。
前記無線情報配信装置のさらに好ましい態様において、
前記サービス要求情報は、さらにユーザの属性情報を表わすユーザ属性情報を含んでおり、
前記記憶部は、前記サービス情報と前記複数のユーザ属性情報とを対応付けて記憶しており、
前記制御部は、前記サービス要求に含まれるユーザ属性情報に対応付けられたサービス情報を前記記憶部から抽出することを特徴とする。
前記無線情報配信装置のさらに別の好ましい態様において、
前記サービス要求情報は、当該ユーザの出発地、目的地を含むユーザ交通情報であり、
前記記憶部は交通手段の運行状況を示すサービス情報を記憶し、
前記制御部は、前記サービス要求情報に含まれる前記ユーザ交通情報によって特定される交通手段の運行状況を示すサービス情報を前記記憶部から抽出することを特徴とする。
前記無線情報配信装置のさらに別の好ましい態様において、
前記サービス要求情報は、該ユーザの出発地、目的地を含む、ユーザ交通情報であり、
前記記憶部は、交通手段、前記出発地と目的地の複数の組み合わせの各々に対応付けて当該出発地から当該目的地まで移動する為の交通手段を示す情報を含むとともに、必要な場合には乗換地点に係る情報及び乗換方法を示す情報をさらに含むサービス情報を記憶し、
乗換地点、及び乗換方法を示すサービス情報を記憶し、
前記制御部は、受信したサービス情報要求情報に含まれるユーザ交通情報に対応した前記交通手段を示す情報、乗換地点に係る情報、及び乗換方法を示す情報を含むサービス情報を抽出する
ことを特徴とする。
前記無線情報配信装置のさらに別の好ましい態様において、
前記乗換方法を示すサービス情報は、前記乗換地点において前記交通手段を変更する際のユーザの道程を示す情報を含むことを特徴とする。
さらに、前記無線情報配信装置において、
前記乗換方法を示すサービス情報は、前記乗換地点において前記交通手段を変更するためにユーザが使用すべき階段、エスカレータ、エレベータのいずれか一以上の情報を含むことを特徴とする。
さらに、前記無線情報配信装置において、
前記乗換地点を示す情報は、前記乗換地点において前記交通手段を変更するために前記ユーザが所要する時間に係る情報を含むことを特徴とする。
また、前記無線情報配信装置のさらに別の好ましい態様において、前記交通手段は電車、バス、飛行機、船のいずれか一以上を含むものであることを特徴とする。
前記無線情報配信装置のさらに別の好ましい態様において、
前記複数の外部送受信装置の各々は、一定時間間隔で通信要求信号を送信することを特徴とする。
本発明における携帯無線装置は、
前記無線情報配信装置の外部送受信装置の通信圏内において、無線通信を行う携帯無線装置であって、
無線通信を行う送受信部と、
前記ユーザの所望するサービスを表わすサービス要求情報を記憶する記憶部と表示部とを備え、
前記外部送受信装置の通信圏内に入ったときに、無線通信が可能な状態である旨を表わす信号を当該外部送受信装置へ当該受信部により送信し、さらに前記記憶部に記憶された前記サービス要求情報を当該外部送受信装置へ送信し、当該サービス要求情報への応答として当該外部送受信装置より受信されるサービス情報を前記表示部により表示する制御部と
を備えることを特徴とする。
好ましい態様において、
前記記憶部は、さらにユーザを特定するユーザ情報を記憶しており、
前記サービス要求情報は、前記ユーザ情報と、ユーザの入退場要求を表わすユーザ入退場要求情報とをさらに含むことを特徴とする。
別の好ましい態様において、
前記記憶部は、さらにユーザの属性情報を表わすユーザ属性情報を含んでおり、前記サービス要求情報は、前記ユーザ属性情報を含み、
前記送受信部が受信するサービス情報は、当該属性情報に対応したサービス情報であることを特徴とする。
さらに別の好ましい態様において、
前記記憶部は、ユーザの出発地、目的地を含む、ユーザ交通情報を記憶し、
前記サービス要求情報は、前記ユーザ交通情報を含む、
前記送受信部が受信するサービス情報は、前記ユーザ交通情報によって特定される交通手段の運行状況を示す情報であることを特徴とする。
さらに別の好ましい態様において、
前記サービス要求情報は、ユーザの出発地、目的地を含む、ユーザ交通情報であり、
前記送受信部が受信するサービス情報は、当該出発地から当該目的地まで移動する為の交通手段を示す情報を含むとともに、乗換地点に関する情報及び乗換方法を示す情報をさらに含むサービス情報であることを特徴とする。
さらに別の好ましい態様において、
前記送受信部は、前記外部送受信装置の一つから通信要求信号を受信した場合に、当該外部送受信装置と通信を行うことを特徴とする。
さらに別の好ましい態様において、
前記表示部は、前記外部送受信装置から受信したサービス情報を一定期間表示した後、時刻を表示するものであることを特徴とする。
本発明における無線情報配信装置の制御方法は、
サービス情報を記憶する記憶部と、通信圏内の携帯無線装置と無線通信を行う外部送受信装置と、制御部とを有する無線情報配信装置の制御方法であって、
サービス情報を記憶する過程と、
前記外部送受信装置のうちいずれか１つにより、前記サービス情報を要求する旨のサービス要求情報を受信する過程と、
当該サービス要求情報に対応したサービス情報を抽出する過程と、
抽出したサービス情報を当該外部送受信装置により送信する過程とを有することを特徴とする。
前記制御方法の好ましい態様において、
前記無線情報配信装置は、入退場規制装置を有しており、
前記入退場規制装置の近傍には、前記外部送受信装置が配置されており、
前記制御部は、前記外部送受信装置により、ユーザを特定するユーザ情報とユーザの入退場要求を受信する過程と、
前記受信したユーザ情報に基づいて当該ユーザの入場を許可、不許可を判断し、該判断にもとづいて当該外部送受信装置の近傍に設置される入退場制御装置にユーザの入場を制御する動作を行わせる過程をさらに有することを特徴とする。
前記制御方法の別の好ましい態様において、
前記サービス要求情報は、ユーザの属性情報を表わすユーザ属性情報を含んでおり、
前記サービス情報と前記複数のユーザ属性情報とを対応付けて記憶する過程と、前記サービス要求に含まれるユーザ属性情報に対応付けられたサービス情報を抽出する過程とをさらに有することを特徴とする。
前記制御方法のさらに別の好ましい態様において、
前記サービス要求情報は、ユーザの出発地、目的地を含むユーザ交通情報であり、
交通手段の運行状況を示すサービス情報を記憶する過程と、
前記受信したサービス要求情報に含まれる前記ユーザ交通情報対応した交通手段を特定する過程と、
前記特定された交通手段の運行状況を示すサービス情報を抽出する過程とことを特徴とする。
前記制御方法のさらに別の好ましい態様において、
前記サービス要求情報は、前記ユーザの出発地、目的地を含む、ユーザ交通情報であり、
出発地と目的地の複数の組み合わせの各々に対応付けて当該出発地から当該目的地まで移動する為の交通手段を示す情報、乗換地点に係る情報、乗換方法を示す情報を含むサービス情報を記憶する過程と、
前記サービス要求情報に含まれるユーザ交通情報に対応する交通手段を示す情報、乗換地点に係る情報、及び乗換方法を示す情報を含むサービス情報を抽出する過程とを有すること特徴とする。
本発明における携帯無線装置の制御方法は、
無線通信を行う送受信部と、ユーザの所望するサービスを表わすサービス要求情報を記憶する記憶部と、表示部とを備え、無線線情報配信装置の外部送受信装置の通信圏内において、無線通信を行う携帯無線装置の制御方法であって、
前記外部送受信装置の通信圏内に入ったときに、無線通信が可能な状態である旨を表わす信号を当該外部送受信装置へ当該送受信部により送信する過程と、
前記記憶部に記憶された前記サービス要求情報を当該外部送受信装置へ送信する過程と、
当該サービス要求情報への応答として当該外部送受信装置よりサービス情報を受信する過程と、
受信したサービス情報を前記表示部により表示する過程とを有することを特徴とする。
前記携帯無線装置の制御方法の好ましい態様において、
前記サービス要求情報は、ユーザを特定するユーザ情報と、ユーザの入退場要求情報とをさらに含むことを特徴とする。
前記携帯無線装置の制御方法のさらに別の好ましい態様において、
前記サービス要求情報は、ユーザの属性情報を表わすユーザ属性情報を含み、
前記送受信部が受信するサービス情報は、当該属性情報に対応した情報でることを特徴とする。
前記携帯無線装置の制御方法のさらに別の好ましい態様において、
前記サービス要求情報は、ユーザの出発地、目的地を含む、ユーザ交通情報を含み、
前記送受信部が受信するサービス情報は、前記ユーザ交通情報によって特定される交通手段の運行状況を示す情報をさらに含むことを特徴とする。
前記携帯無線装置の制御方法のさらに別の好ましい態様において、
前記サービス要求情報は、該ユーザの出発地、目的地を含む、ユーザ交通情報であり、
前記送受信部が受信するサービス情報は、ユーザ交通情報に含まれるユーザ交通情報に対応した、当該ユーザの出発地から目的地まで移動するための交通手段を示す情報、乗換地点に係る情報、及び乗換方法を示す情報含む当該ユーザの行程に関する情報をさらに含むことを特徴とする。
本発明における無線情報配信装置の制御プログラムは、サービス情報を記憶する記憶部と、通信圏内の携帯無線装置と無線通信を行う外部送受信装置と、制御部とを有する無線情報配信装置の制御するためのプログラムであって、
サービス情報を記憶する機能と、
前記外部送受信装置により、前記サービス情報を要求する旨のサービス要求情報が受信する機能と、
当該サービス要求情報に対応したサービス情報を抽出する機能と、
抽出したサービス情報を当該外部送受信装置により送信する機能と
をコンピュータに実現させることを特徴とする。
前記無線情報配信制御プログラムの好ましい態様において、
前記無線情報配信装置は、入退場規制装置を有しており、
前記入退場規制装置の近傍には、前記外部送受信装置が配置されており、
前記制御部は、前記外部送受信装置のいずれかにひとつよりユーザを特定するユーザ情報とユーザの入退場要求とを受信する機能と、
前記受信したユーザ情報に基づいて当該ユーザの入場を許可、不許可を判断する機能と、
該判断にもとづいて当該外部送受信装置の近傍に設置される入退場制御装置を制御する機能とを有することを特徴とする。
前記無線情報配信装置の制御プログラムのさらに別の好ましい態様において、前記サービス要求情報は、さらにユーザの属性情報を表わすユーザ属性情報を含んでおり、
前記複数のサービス情報と前記複数のユーザ属性情報とを対応付けて記憶する機能と、
前記サービス要求に含まれるユーザ属性情報に基づいて、前記記憶部から当該ユーザに対応したサービス情報を抽出する機能と
を有することを特徴とする。
前記無線情報配信装置の制御プログラムのさらに別の態様において、
前記サービス要求情報は、ユーザの出発地、目的地を含むユーザ交通情報を含み、
交通手段の運行状況を示すサービス情報を記憶する機能と、
前記サービス要求情報に含まれる前記ユーザ交通情報に対応した前記交通手段を特定する機能と、
当該交通手段の運行状況を示すサービス情報を抽出する機能と
を有することを特徴とする。
前記無線情報配信装置の制御プログラムのさらに別の態様において、
前記サービス要求情報は、該ユーザの出発地、目的地を含む、ユーザ交通情報を含み、
出発地と目的地の複数の組み合わせの各々に対応付けて、当該出発地から当該目的地まで移動するための交通手段を示す情報と、乗換地点に係る情報、乗換方法を示す情報とを記憶する機能と、
前記サービス要求情報に含まれる前記ユーザ交通情報に対応した前記交通手段に対応した交通手段を示す情報、乗換地点に係る情報、及び乗換方法を示す情報を含むサービス情報を抽出する機能と、
を有することを特徴とする。
本発明の携帯無線装置の制御プログラムは、無線通信を行う送受信部と、ユーザの所望するサービスを表わすサービス要求情報を記憶する記憶部と、表示部とを備え、無線線情報配信装置の外部送受信装置の通信圏内において、
無線通信を行う携帯無線装置の制御するための制御プログラムであって、
前記外部送受信装置の通信圏内に入ったときに、無線通信が可能な状態である旨を表わす信号を当該外部送受信装置へ当該送受信部により送信する機能と、
前記サービス要求情報を当該外部送受信装置へ送信する機能と、
前記記憶部に格納された当該サービス要求情報への応答として当該外部送受信装置よりサービス情報を受信する機能と、
受信したサービス情報を前記表示部により表示する機能と
をコンピュータに実現させることを特徴とする。
前記携帯無線装置の制御プログラムの好ましい態様において、
前記サービス要求情報は、ユーザの出発地、目的地を含む、ユーザ交通情報を含み、
前記送受信部が受信するサービス情報は、前記ユーザ交通情報によって特定される交通手段の運行状況を示す情報を含むことを特徴とする。
前記携帯無線装置の制御プログラムのさらに別の好ましい態様において、
前記送受信部が受信するサービス情報は、ユーザ交通情報に含まれるユーザ交通情報に対応した、当該ユーザの出発地から目的地まで移動するための交通手段を示す情報、乗換地点に係る情報、及び乗換方法を示す情報を含むユーザの行程に関する情報をさらに含むことを特徴とする。
本発明における無線情報配信装置の制御プログラムがコンピュータ読み取り可能に格納された記憶媒体は、サービス情報を記憶する記憶部と、通信圏内の携帯無線装置と無線通信を行う外部送受信装置と、制御部とを有する無線情報配信装置を制御するためのプログラムが格納された記憶媒体であって、
前記プログラムは、サービス情報を記憶する機能と、
前記外部送受信装置により、サービス情報を要求する旨のサービス要求情報が受信する機能と、
当該サービス要求情報に対応したサービス情報を抽出する機能と、
抽出したサービス情報を当該外部送受信装置により送信する機能と
をコンピュータに実現させることを特徴とする。
前記無線情報配信装置の制御プログラムがコンピュータ読み取り可能に格納された記憶媒体の好ましい態様において、
前記無線情報配信装置は、退場規制装置を有しており、
各入退場規制装置の近傍には、前記外部送受信装置が配置されており、
前記制御部は、前記外部送受信装置のいずれかに一つによりユーザを特定するユーザ情報とユーザの入退場要求とを受信する機能と、
前記受信した当該ユーザ情報に基づいて入場を許可、不許可を判断する機能と、該判断にもとづいて当該外部送受信装置の近傍に設置される入退場制御装置を制御する機能とを有することを特徴とする。
前記無線情報配信装置の制御プログラムがコンピュータ読み取り可能に格納された記憶媒体のさらに別の好ましい態様において、
前記サービス要求情報は、さらにユーザの属性情報を表わすユーザ属性情報を含んでおり、
前記複数のサービス情報と前記複数のユーザ属性情報とを対応付けて記憶する機能と、
前記サービス要求に含まれるユーザ属性情報に対応したサービス情報を抽出する機能とを有することを特徴とする。
前記無線情報配信装置の制御プログラムがコンピュータ読み取り可能に格納された記憶媒体記憶媒体であって
前記サービス要求情報は、ユーザの出発地、目的地を含むユーザ交通情報であり、
複交通手段の運行状況を示すサービス情報を記憶する機能と、
前記サービス要求情報に含まれる前記ユーザ交通情報に基づいて、前記交通手段を特定する機能と、
前期特定された交通手段の運行状況を示すサービス情報を抽出する機能とを有することを特徴とする。
前記無線情報配信装置の制御プログラムがコンピュータ読み取り可能に格納された記憶媒体のさらに別の好ましい態様において、
前記サービス要求情報は、該ユーザの出発地、目的地を含む、ユーザ交通情報であり、
出発地と目的地の複数の組合せの各々に対応付けて当該出発地から当該目的地まで移動する為の交通手段を示す情報と、乗換地点に係る情報、及び乗換方法を示す情報を記憶する機能と、
前記サービス要求情報に含まれるユーザ交通情報に対応した前記交通手段を示す情報、乗換地点に係る情報、及び乗換方法を示す情報を含むサービス情報を抽出する機能とを有することを特徴とする。
本発明における携帯無線装置の制御プログラムが格納された記憶媒体は、無線通信を行う送受信部と、サービス情報を要求する旨のサービス要求情報を記憶する記憶部と、表示部とを備え、無線線情報配信装置の外部送受信装置の通信圏内において、無線通信を行う携帯無線装置の制御するための制御プログラムが格納される記憶媒体であって、
前記制御プログラムは、
前記外部送受信装置のいずれか一つの通信圏内に入ったときに、無線通信が可能な状態である旨を表わす信号を当該外部送受信装置へ当該送受信部により送信する機能と、
前記サービス要求情報を当該外部送受信装置へ送信する機能と、
前記記憶部に記憶された当該サービス要求情報への応答として当該外部送受信装置よりサービス情報を受信する機能と、
受信したサービス情報を前記表示部により表示する機能と
をコンピュータに実現させることを特徴とする。
前記記憶媒体において、携帯無線装置の制御プログラムが格納された記憶媒体の好ましい態様において、
前記サービス要求情報は、ユーザの出発地、目的地を含む、ユーザ交通情報であり、
前記送受信部が受信するサービス情報は、前記ユーザ交通情報によって特定される交通手段の運行状況を示す情報を含むことを特徴とする。
前記携帯無線装置の制御プログラムが格納された記憶媒体のさらに別の好ましい態様において、
前記送受信部が受信するサービス情報は、ユーザ交通情報に含まれるユーザ交通情報によって特定される、当該ユーザの出発地から目的地まで移動するのに必要な交通手段を示す情報、乗換地点に係る情報、及び乗換方法を示す情報を含むユーザの行程に関する情報をさらに含むことを特徴とする。
発明を実施するための最良の態様
次に本発明の好適な実施形態について図面を参照して説明する。
１：第一実施形態
１−Ａ：第一実施形態の構成
図１は、本発明を電車の乗換情報システム１００に適用した場合のシステム構成図である。図に示すように、乗換情報システム１００は、システムサーバ１０、コンテンツサーバ２０、公衆網３０、駅システム４０、腕時計型の情報機器５０（以下、単に腕時計５０と記述する）５０を備えている。
システムサーバ１０は、本システム１００全体の制御を行うものである。また、駅システム４０は、電車の各駅に設置されているシステムである。
システムサーバ１０は、公衆網３０を介して各駅に設置される駅システム４０と接続されている。そして、駅システム４０との間で種々のデータ授受を行っている。たとえば、緊急に電車が運休した場合、システムサーバ１０は、かかる情報を、例えばその電車が止まっている駅の駅システム４０から受信し、各駅の駅システム４０に送信する。
コンテンツサーバ２０は、後述するサービス情報を乗降客（以下単にユーザ）に提供すべき情報を管理するサーバである。コンテンツサーバ２０は、システム１０と同様に公衆網３０を介して各駅に設置される駅情報システム４０と接続され、各種サービス情報を各駅の駅情報システム４０に送信する機能を有している。
図２は、駅システム４０の構成を示したものである。図２に示すように、駅システム４０は、駅サーバ４１と、複数のリード／ライト装置４５から構成されている。
駅サーバ４１は、図示せぬ制御部を備え、この制御部によって運賃の精算、ユーザの入退場管理、各ユーザへの各種情報の提供が行われる。すなわち、駅サーバ４１は、第一に、ユーザのチケットデータが正当なものかを判断し、其の判断にもとづいて、ユーザの入退場の管理を行う。このとき、さらに当該駅サーバ４１に格納される制御プログラム（図示せず）用いて、運賃の精算処理が行われる。それに加えて、システムサーバ１０から送信される各種情報をメモリ４３内に格納し、リード／ライト装置４５を介してユーザの所持する腕時計５０に後述する情報を提供する。これらの動作は、駅サーバ４１に格納された図示せぬ制御プログラムを用いて制御部（図示せず）が行う。
図３は、メモリ４３の構成を模式的に示した図である。図３に示すように、メモリ４３は、電車路線情報メモリ４３ｘ、乗換駅情報メモリ４３ａ、電車時刻情報メモリ４３ｂ、緊急情報メモリ４３ｃ、オプション情報メモリ４３ｄ及び乗降客管理情報メモリ４３ｅを備えている。
電車路線、情報メモリ４３ｘは、本システム１００に係る電車の路線図に係る情報が記憶されるメモリである。図４は、電車路線情報メモリ４３ｘの内容を模式的に示したものである。図４に示すように、本実施形態においては、電車路線はＸ鉄道、Ｙ鉄道、Ｚ鉄道と３路線あり、電車の駅としてＡ駅、Ｂ駅、Ｃ駅、Ｄ駅、Ｅ駅およびＦ駅がある例を想定する。なお、図４においては主要駅のみを示しているが、実際には本システム１００に係るすべての駅の情報が格納されている。
ここで、電車路線情報メモリ４３ｘの内容によれば、出発駅と到着駅（目的駅）に係る情報がわかれば、どの駅で乗り換えを行うべきか判断することが可能である。
乗換駅情報メモリ４３ａは、本システム１００において電車の乗換駅についての情報を格納するためのメモリである。ここで、本実施形態における乗換駅とは、複数の路線の電車が発着する駅をいい、電車路線を変更することができる駅のことをいう。上掲した図４の例では、Ｂ駅とＤ駅がこれに該当する。
図５は、乗換駅情報メモリ４３ａの内容を模式的示すものであり、乗換駅情報メモリ４３ａには、ホーム番線情報４３１とホーム案内情報４３２が格納されている。ホーム番線情報４３１は、各乗換駅（ここではＢ駅とＤ駅）についてのホーム番線と、発着する電車の路線名、電車の行き先に係る情報である。図５に例示するように、これらの情報が対応付けされ、乗換駅情報メモリ４３ａに格納されている。ホーム番線情報情報４３１の内容によれば、乗換駅において、どのホームからどのホームに乗換を行えばいいのかを判別することが可能である。ホーム案内情報４３２は、各乗換駅（ここではＢ駅とＤ駅）についてのホームに設置される階段や改札口の位置についての情報である。図５では乗換駅であるＢ駅についてのホーム案内情報４３２を示しているが、このように、ホーム案内情報４３２の内容によれば、乗換駅において、どういう道程をたどれば目的とするホームに行くことができるのかを判別することができる。
電車時刻情報メモリ４３ｂには、本システム１００に係る電車の運行時間についての情報が格納されている。いわゆる時刻表に対応する情報が格納されている。電車時刻情報メモリ４３ｂには、電車が発着する駅ホームの番線情報も併せて格納される。
緊急情報メモリ４３ｃには、気象や事故等の影響により電車の運行が緊急に乱れた場合にその旨を表す緊急情報が格納される。この緊急情報は、事故等により電車の運行が乱れた場合、システムサーバ１０から各駅の駅サーバ４１に随時送信され、その後メモリ４３内の緊急情報メモリ４３ｃに格納されるものである。
オプション情報メモリ４３ｄには、上述した電車や駅に関する情報以外のサービス情報が格納される。例えば、駅構内にある弁当屋の宣伝や、売店の営業時間の案内、さらに沿線の店の情報等である。さらに、予めユーザによってコンテンツサーバ２０に登録されたサービス情報が格納される。ここで、サービス情報とは、例えば、最新の商品情報やスポーツニュース速報等である。
乗降客管理情報メモリ４３ｅには、駅サーバ４１が設置される駅の乗降客に関する情報が格納されている。例えば、駅サーバ４１が設置される駅を利用した乗降客の数、各路線を利用した乗降客の数、あるいは各乗降客が支払った運賃等に関する情報等である。
次にリード／ライト装置４５の構成について説明する。図６は、リード／ライト装置４５の構成図である。図６に示すように、リード／ライト装置４５は、リード／ライト装置４５全体を制御する制御回路４５ａと、アンテナ４５ｅを介して外部装置との間で信号の授受を実行するための高周波回路４５ｄと、制御回路４５ａの制御下で送信信号を生成し高周波回路４５ｄへ出力する送信回路４５ｂと、高周波回路４５ｄから入力される受信信号を復調して受信データとして制御回路４５ａに出力する受信回路４５ｃとを有している。なお、送信回路４５ａから出力される信号の周波数は、一般的に１３．５６［ＭＨｚ］や１２５［ＭＨｚ］が使用されているが、この出力信号の通信距離は数センチから数十センチ程度であるため、ユーザは腕時計５０をアンテナ４５ｅに近接させて情報通信を行う必要がある。
図７及び図８は、駅構内の改札口に設置されたリード／ライト装置４５の例の外観斜視図である。同図に示すように、改札口Ｇの一部に、データ通信を行うためのループアンテナ４５ｅが内蔵、配置されている。そして、ユーザが改札口Ｇを通過する際、非接触型ＩＣカード機能を有する腕時計５０が前記アンテナ４５ｅと所定の距離まで近づくと、双方向データ通信が行われる。
また、本実施形態に係るシステム１００において、リード／ライト装置４５は、改札口に限らず、図９に例示するように、階段脇にリード／ライト装置４５を設置してもよく、さらに、図１０に例示するように、ホーム床下にリード／ライト装置４５を設置してもよい。このように、駅構内の至るところにリード／ライト装置４５を設けることにより、ユーザは常に最新の情報を随時取得することができる。
次に腕時計５０の構成について説明する。図１１は、腕時計５０の概要構成ブロック図である。腕時計５０は、腕時計５０全体を制御する中央制御回路５０５と、アンテナ５０１と、アンテナ５０１の接続先を受信回路５０３と送信回路５０４との間で切り替える切替回路５０２と、リード／ライト装置４５からアンテナ５０１を介して受信した信号を復調して受信データとして出力する受信回路５０３と、中央制御回路５０５から入力された送信データを変調してアンテナ５０１を介してリード／ライト装置４５へ送信する送信回路５０４とを有している。
さらに腕時計５０は、駆動回路５１１ｄにより駆動され、ブザーや電子音により各種情報をユーザに通知するための発音部５１１と、駆動回路５１２ｄにより駆動され、振動により各種状態をユーザに通知するための振動部５１２と、駆動回路５１３ｄにより駆動され、ＬＥＤなどの発光素子を備えて光により各種状態をユーザに通知するための発光部５１３と、駆動回路５１４ｄにより駆動され、液晶ディスプレイパネル等で構成されて各種情報を表示する表示部５１４を有している。また、ボタンやタッチパネルなどにより構成され、ユーザが各種操作を行うための外部操作入力部５０７と、基準周波数を有する源発振信号を生成する発振子５０８と、源発振振動に基づいて各種基準信号を作成し出力する基準信号生成回路５０９と、各種データを不揮発状態で記録するメモリ５０６と、腕時計型情報機器５０に必要な電源を供給する電池５１０を有している。
腕時計５０の電源電圧は、通常は電池５１０のみから供給されるが、リード／ライト装置４５との間で無線データ通信を行っている場合は、リード／ライト装置４５から送信される搬送波（キャリア信号）を整流して得られる電圧も併せて供給することとしてもよい。中央制御回路５０５は図示せぬＣＰＵ、ＲＡＭ、ＲＯＭ等から構成されており、さらには外部と送受信するデータについて暗号化するための暗号化回路をも内蔵しており、セキュリティにも配慮がなされている。腕時計５０のメモリ５０６は、ＥＥＰＲＯＭやフラッシュメモリなどの揮発性メモリである。このメモリ５０６内には、当該腕時計５０固有のＩＤ番号及び当該ユーザの乗車予定電車に関する情報（例えば、出発駅、到着駅、電車名、指定席番号、金額残高）である、ユーザ交通情報が記録されている他さらに、腕時計の制御プログラムが格納されている。中央制御回路５０５は、メモリ５０６から制御プログラムを読出し、各種腕時計の制御を行う。
１−Ｂ：実施形態の動作
はじめに、本実施形態の動作概要を説明し、その次に具体的な動作について説明する。
１−Ｂ−１：動作概要について
図１２のシーケンスチャートを用いてシステム１００の動作の概要を説明する。ここでは、リード／ライト装置４５は図７に示されるように改札口に設置されているものとする。リード／ライト装置４５は、所定タイミングでポーリング信号（通信要求）を送信している（ステップＳ１０１）。そして、前記リード／ライト装置４５に予め設定された通信圏内に腕時計５０が入り、ポーリング信号を腕時計５０が受信すると、当該腕時計５０とリード／ライト装置４５との間で通信が開始される。
はじめに、腕時計５０は、自身のＩＤを含む、自身の認証を要求する旨の信号をリード／ライト装置４５に送信する（ステップＳ１０２）。リード／ライト装置４５は、前記信号を受信すると、自己の通信圏内に腕時計５０が入っていると認識し、認証を行う。
認証に失敗した場合、認証に失敗した旨の信号を腕時計５０に送信し、それ以上当該腕時計５０とは通信を行わない。そして、ゲート４５ｆを閉め、ユーザが改札口を通過できないようにする。
認証に成功した場合、認証に成功した旨の信号を腕時計５０に送信する（ステップＳ１０３）。腕時計５０は、リード／ライト装置４５から前記信号を受信すると、認証が完了した旨を表わす信号をリード／ライト装置４５に送信する（ステップＳ１０４）。次いで、リード／ライト装置４５は、時計５０に対して、データを要求する旨の信号を送信する（ステップＳ１０５）。
この要求を受けた腕時計５０は、メモリ５０６に格納されている、電車名や指定座席番号等のユーザの乗車予定の電車にかかる情報を、データとしてリード／ライト装置４５に送信する（ステップＳ１０６）。
リード／ライト装置４５は、データを受信し、受信したデータを駅サーバ４１に送信する（ステップＳ１０７）。
駅サーバ４１は、データを受信すると、当該データに基づいて、当該ユーザの入場または退場を許可してよいかどうかを判断する。例えば、ユーザが改札口Ｇから駅構外に出ようとする時、当該データ内の到着駅と当該改札口Ｇが設置されている駅が一致するかどうかを確認する。
一致しなかった場合、リード／ライト装置４５は、改札口Ｇを通過できないようにゲート１９を閉める等の所定の処理を行いユーザが改札口Ｇを通過させないようにする。
一方、一致した場合、駅サーバ４１は、受信したデータの中に運賃残高に係る情報が格納されていた場合、精算プログラムを用いて運賃の精算処理を行いユーザの運賃情報を更新する。具体的には、受信したデータに含まれる出発駅と到着駅をもとにユーザの利用した乗車区間に対応する料金が計算され、ユーザの運賃情報から利用金額が減額され、残高額情報が更新される。
そして、受信したデータに対応する電車に係る情報をメモリ４３の中から抽出する。例えば、当該電車が事故等により運休していないかどうかを緊急情報メモリ４３ｃを参照して判別する（ステップＳ１０８）。次に、受信したＩＤ番号をもとに、当該ユーザに対応するサービス情報をオプション情報メモリ４３ｄから抽出する。駅サーバ４１は、以上の情報を当該リード／ライト装置４５を介して腕時計５０に送信する（ステップＳ１０９、Ｓ１１０）。
腕時計５０は、かかる情報を受信すると、情報を受信したことを表す応答信号をリード／ライト装置４５に対して送信する（ステップＳ１１１）。その後、腕時計５０は、受信した情報をメモリ５０６に書き込む（ステップＳ１１２）。そして、ユーザに受信した情報内容を表示部５１４に表示し、その情報がユーザに視認される。一方、リード／ライト装置４５は、前記応答信号を受信すると、腕時計５０に対するデータ通信が終了したと判断し、ゲート４５ｆを開けて、当該ユーザの通過を許可するとともに、次のポーリング処理に備える（ステップＳ１１３）。
１−Ｂ−２：腕時計５０を主体とした動作概要
以上、説明した動作概要の内容を、さらに腕時計５０を主体として説明する。図１３は、腕時計５０の動作内容を示すフローチャートである。以下この図に基づいて説明する。
本システム１００を利用するにあたり、腕時計５０のユーザは鉄道会社の販売窓口において、電車の乗車券（定期券）を購入する。具体的には、鉄道会社の販売窓口に設置されるリード／ライト装置（図示せず）において、乗車券の代金支払いを条件として、腕時計５０内のメモリ５０６に、購入した乗車券（定期券）に対応するデータが格納される（ステップＳ２０１）。
この場合、乗車券には、予め乗車区間が指定されていてもよいし、乗車区間が指定されていなく、ユーザが前払いした金額（残高）のみが記憶されていてもよい。
その後、腕時計５０のユーザが実際に駅システム４０のリード／ライト装置４５が設置される改札口を通過する際（ステップＳ２０２）、腕時計５０がリード／ライト装置４５の無線通信圏まで近づき、リード／ライト装置４５からポーリング信号を受信すると（ステップＳ２０３）、腕時計５０は認証を要求する旨の信号をリード／ライト装置４５に送信する（ステップＳ２０４）。
ここで、リード／ライト装置４５から認証に成功した旨の信号が受信できなかった場合は（ステップＳ２０４；ＮＯ）、腕時計５０はリード／ライト装置４５との間においてこれ以上の無線通信を行わない。この場合、腕時計５０はリード／ライト装置４５から情報を受信しないため、表示部５１４には時刻が表示されたままである（ステップＳ２２０）。
一方、リード／ライト装置４５から認証に成功した旨の信号が受信を受信した場合（ステップＳ２０４；ＹＥＳ）、腕時計５０は、認証が完了した旨の応答データをリード／ライト装置４５に送信する（ステップＳ２０５）。
その後、リード／ライト装置４５から、データ読込要求を受けると、腕時計５０はメモリ５０６に格納されているデータをリード／ライト装置４５に送信する（ステップ２０６）。
腕時計５０は、リード／ライト装置４５から乗車券に対応する情報およびオプション情報を受信し（ステップＳ２０７）、情報の受信が完了すると（ステップＳ２０８；ＹＥＳ）、受信した情報をメモリ５０６に格納し、情報の内容を表示部５１４に表示させる（ステップＳ２０９）。
この際、受信した情報のデータ量が多いときは、一度に表示部５１４に内容を表示させることができない。これを解決するため、腕時計５０のユーザが所定の操作ボタン５０７を操作すると（ステップＳ２１０；ＹＥＳ）、表示部５１４は、メモリ５０６に格納される別の情報を表示する（ステップＳ２１１）。
また、腕時計５０は、リード／ライト装置４５から受信した情報を表示部５１４に表示させた後、ユーザによって所定の操作ボタン５０７が一定時間（例えば１０秒間）操作されない場合は（ステップＳ２１０；ＮＯ）、表示部５１４は受信した情報を表示せずに通常の時刻を表示する（ステップＳ２３０）。この後、リード／ライト装置から離れた後も、ユーザが操作ボタン５０７を操作することで、いつでも腕時計５０はメモリ５０６に格納されている情報を読出し、表示部に表示させることができる。
１−Ｂ−３：具体的な動作
より具体的に動作内容を説明する。以下、腕時計５０のユーザが、図４において、Ｘ鉄道を利用してＡ駅（出発駅）からＢ駅（乗換駅）まで行き、次いでＹ鉄道を利用してＢ駅からＣ駅（到着駅）まで行く場合を想定する。
また、腕時計５０のメモリ５０６にはチケットデータとして、以下の内容が格納されている場合を想定する。
１．　出発駅；Ａ駅
２．　到着駅；Ｃ駅
３．　指定電車名；Ｙ鉄道特急１号（Ｂ駅発Ｃ駅行き）
４．　指定座席番号；１号車１番
このような条件下において、腕時計５０のユーザがＡ駅（出発駅）の駅システム４０ＡおよびＢ駅（乗換駅）の駅システム４０Ｂにおいて、いかなる情報を取得するかを説明する。
１−Ｂ−３−１：ユーザがＡ駅の駅システム４０Ａにおいて取得する情報
はじめに、腕時計５０のユーザがＡ駅（出発駅）において取得する情報内容を説明する。Ａ駅の駅サーバ４１Ａは、リード／ライト装置４５を介して、腕時計５０から上掲したチケットデータを受信すると以下に示す情報を抽出する。
（ａ）出発駅から到着駅までのルートに係る情報
Ａ駅の駅サーバ４１Ａは、まず、出発駅がＡ駅、到着駅がＣであることを認識する。そして、Ａ駅の駅サーバ４１Ａは、メモリ４３の電車路線情報メモリ４３ｘの内容を参照し、出発駅がＡ駅で到着駅がＣであることから、乗換駅はＢ駅であることを判別する。そして、現在、腕時計５０のユーザはＡ駅に存在するため、当該ユーザに対してはまず、Ｘ鉄道を利用してＢ駅まで行き、次いでＹ鉄道を利用してＢ駅からＣ駅に行くのが適正なルートである旨を判別する。
（ｂ）乗車指定された電車についての情報
Ｂ駅からＣ駅に行くためにＹ鉄道の指定電車（Ｙ鉄道特急１号）を利用する旨がチケットデータに含まれていることから、Ａ駅の駅サーバ４１Ａは、かかる指定電車についての情報（Ｂ駅の発車時刻、発車ホーム番線情報等）を、電車時刻情報メモリ４３ｂから取得する。また、当該電車が事故により運休されていないか等を緊急情報メモリ４３ｃ内に格納されている情報を参照し判断する。このような判別をするにあたり、Ａ駅の駅サーバ４１Ａは、システムサーバ１０に対して、最新の緊急情報等を送信するよう要求することとしてもよい。
（ｃ）乗換駅に係る情報
本例においては、Ｂ駅が乗換駅に該当する。Ａ駅の駅サーバ４１Ａは、Ｂ駅でＸ鉄道からＹ鉄道に乗り替えるための道程について、乗換駅情報メモリ４３ａに記憶されているホーム番線情報４３１およびホーム案内情報４３２の内容から判別する。
具体的には、Ａ駅の駅サーバ４１Ａは、ホーム番線情報４３１の内容から、Ｂ駅でＸ鉄道からＹ鉄道に乗り替えるためには、Ｂ駅においてホーム１番線から３番線に移動すべきであると判断する。そして、ホーム案内情報４３２の内容から、Ｂ駅においてホーム１番線から３番線に移動するためにはどのような道程をたどればいいのかを決定する。
さらに、Ａ駅の駅サーバ４１Ａは、Ｂ駅で乗換をするためにどの程度時間余裕があるのかを算出する。具体的には、電車時刻情報メモリ４３ｂにアクセスすることによって、Ａ駅からＢ駅までの所要時間を算出し、チケットデータに含まれる指定電車（Ｙ鉄道特急１号）の発車時刻、現在時刻および前記算出した所要時間から算出する。
（ｄ）その他のオプション情報
図１４は、上記以外のサービス情報が、腕時計５０に供給されるまでの流れを説明した図である。ここでいうサービス情報は、例えば、駅周辺の飲食店に関する情報であり、またはニュース情報などのコンテンツである。情報提供側（飲食店経営者等）は自分の店に関する宣伝情報（店の場所、営業時間、バーゲン品など）をコンテンツサーバ２０に登録することができる。この際に、例えば、情報提供側（飲食店経営者等）は、アクセスするとともに（ステップＳ６３）所定の登録料を払うことによって登録をする。登録内容はコンテンツサーバ２０から該当する所定の駅サーバ４１に送信される。
一方、オプション情報の配信を希望する腕時計のユーザは、予めコンテンツサーバ２０もしくはシステムサーバ１０にアクセスして、所望するサービス情報（コンテンツ）と、当該腕時計５０を一意に特定するＩＤ番号を関連付けて登録しておく。（図１４ステップＳ６１）。例えば、ユーザはサービス情報として駅周辺の飲食店情報、或いはスポーツニュース速報の配信を登録する。コンテンツサーバ２０は、ユーザの登録内容を該当する駅サーバ４１に送信し（ステップＳ６４）、各駅サーバ４１のオプションメモリ４３ｄに前記登録内容が格納される。以上のようにして、腕時計５０のユーザ及び広告主の登録が行われた後、腕時計５０とリード／ライト装置４５との間で、所定の認証、乗車運賃の精算等が行われる（ステップＳ６５）。ここで運賃の精算をするにあたっては、Ａ駅の駅サーバ４１に格納される精算プログラムが実行される。
次に駅サーバは該当ＩＤ番号を判別し、当該ＩＤを有する腕時計５０に対して送信すべきサービス情報が存在するかを判断する。送信すべきデータがある場合、Ａ駅サーバ４１はサービス情報を出力する。サービス情報はリード／ライト装置４５を介して腕時計５０に送信される（ステップＳ６６）。
以上のようにして、サービス情報等が腕時計５０に送信される。すなわち、腕時計５０のユーザが改札口Ｇを通過する際に、電車運賃の精算を行うだけでなく、所望のデータ種類をＩＤ番号の登録に基づいた情報もあわせて取得することができる。
図１５から図２０は、このようにして送信された情報が、腕時計５０の表示部５１４に表示される内容を例示するものである。図１５はユーザが改札口を通過する際の精算処理が行われ、乗車区間と、支払った運賃、残金情報が表示されている例である。本システム１００による案内が開始されると、図１６に示すような画面が表示部５１４に表示される。図１７は、腕時計５０のユーザのチケットデータに含まれる出発駅と到着駅の情報により判別したルートに係る情報を示したものである。ユーザは、かかる情報により、どのようにしてＡ駅からＣ駅に行ったらいいのかを明瞭に把握することができる。また、ルートを図面に表示することにより、より迅速に情報伝達することが可能となる。図１８は、腕時計５０のユーザが乗車すべき電車についての情報を表示するものである。指定電車の発車時刻、指定座席の情報に加えて、Ｂ駅で乗換をするにあたって利用できる時間の情報も示されている。このため、腕時計５０のユーザは、例えばＢ駅においてそれほど急ぐ必要がないということまで認識することができる。図１９は、オプション情報として、乗換駅であるＢ駅における弁当屋の情報を示したものである。このように、腕時計５０のユーザは、Ａ駅にいながら、乗換駅における種々の情報を取得することもできる。このような情報を取得することにより、腕時計５０のユーザは、Ｂ駅の乗換の際に時間を有効に使うことができる。図２０は、ユーザがスポーツニュースのコンテンツを予めメニューの中から選んで登録しておいた場合の表示例であり、ユーザは例えば改札口を通過する際に、リアルタイムで上記情報を入手することができる。
以上、図１５から図２０に示すような表示画面は、腕時計５０の中央制御回路５０５によって所定時間（例えば１０秒）毎に自動的に切り替えるようにしてもよい。また、ユーザが外部操作入力部５０７を操作して表示内容を切り替えることとしてもよい。また、腕時計５０が上述した情報を受信したとき、発音部５１１、振動部５１２、発光部５１３を駆動し、受信した旨をユーザに報知してもよい。
１−Ｂ−３−２：ユーザがＢ駅の駅システム４０Ｂにおいて取得する情報
次に、腕時計５０のユーザがＢ駅（乗換駅）において取得する情報の内容を説明する。Ｂ駅の駅サーバ４１Ｂは、リード／ライト装置４５Ｂを介して腕時計５０から上掲したチケットデータを受信すると以下に示す情報を収集する。
（ａ）出発駅から到着駅までのルートに係る情報
Ｂ駅の駅サーバ４１Ｂは、受信したチケットデータに係る出発駅がＡ駅、到着駅がＣ駅であることを認識する。そして、Ｂ駅の駅サーバ４１Ｂは、メモリ４３の電車路線情報メモリ４３ｘの内容を参照し、出発駅がＡ駅で到着駅がＣであることから、乗換駅はＢ駅であることを判別する。そして、現在、腕時計５０のユーザはＢ駅に存在するため、当該ユーザはこの後、Ｙ鉄道を利用してＢ駅からＣ駅に行くべきである旨を判断する。
（ｂ）乗車指定された電車についての情報
本例におけるチケットデータには、Ｂ駅からＣ駅に行く際はＹ鉄道の指定電車（Ｙ鉄道特急１号）を利用する情報が含まれている。よって、Ｂ駅の駅サーバ４１Ｂは、かかる指定電車についての情報（Ｂ駅の発車時刻、発車ホーム番線情報等）を電車時刻情報メモリ４３ｂの内容から判断する。また、当該指定電車が事故等により運休されていないかを緊急情報メモリ４３ｃの内容から判断する。
（ｃ）乗換駅に係る情報
本例においては、Ｂ駅が乗換駅に該当する。Ｂ駅の駅サーバ４１Ｂは、Ｂ駅でＸ鉄道からＹ鉄道に乗り替えるための道程について、乗換駅情報メモリ４３ａに記憶されているホーム番線情報４３１およびホーム案内情報４３２の内容から判別する。
具体的には、Ｂ駅の駅サーバ４１Ｂは、ホーム番線情報４３１の内容から、Ｂ駅でＸ鉄道からＹ鉄道に乗り替えるためには、Ｂ駅においてホーム１番線から３番線に移動すべきであることを認識する。そして、ホーム案内情報４３２の内容から、Ｂ駅においてホーム１番線から３番線に移動するためにはどのような道程をたどればいいのかを判断する。また、Ｂ駅の駅サーバ４１Ｂは、チケットデータに含まれる指定電車（Ｙ鉄道特急１号）の発車時刻および現在時刻から、乗換時間にどれくらいの余裕があるのかを計算する。
Ｂ駅の駅サーバ４１Ｂは、このような情報を取得後、かかる情報をリード／ライト装置４５を介して腕時計５０に送信する。
図２１、図２２は、このようにして送信された情報が、腕時計５０の表示部５１４に表示される内容を例示するものである。図２１は、腕時計５０のユーザのチケットデータに含まれる指定電車（Ｙ鉄道特急１号）についての情報を示したものである。ユーザはかかる表示内容により、乗車予定の電車が予定通り発車する旨、また、電車に乗るためには階段を利用して１番線のホームに行けばいいことを迅速に認識することができる。
また、図２２に示すように、乗換をするにあたって、Ｂ駅の案内図と乗換ルートを示すようにしてもよい。ユーザの現在位置（Ｇ）および乗換ホームの乗車位置（Ｊ）を図示するとともに、使用する階段等の情報も併せて図示することにより、ユーザはＢ駅の構内で迷うことなく乗換を行うことができる。階段が複数あるような場合は、指定電車の乗車口に最も近い階段を選択した乗換の道筋を図示することにより、ユーザは効率的に乗換を行うことができる。
図２３は、ユーザが乗車予定の電車が遅れる旨を示すものである。このように、緊急に電車の運休、遅れがあった場合においても、ユーザはかかる旨をリアルタイム情報として迅速に取得することができる。かかる情報を取得するために、駅構内放送を聞いたり、駅員に尋ねたりする必要もない。また、図２４は、通常の時刻表示をする場合を例示するものであるが、リアルタイム情報として、ニュース速報やナイター中継等の情報を取得した場合は、かかる情報を時刻情報とともに表示することとしてもよい。
以上説明したように、本システム１００を利用することにより、腕時計５０のユーザは、出発駅、到着駅、および乗車予定の電車等についての情報をチケットデータとしてもっておけば、乗換駅についての情報を容易に取得することができるばかりでなく、緊急に指定電車が運休したような場合、それに関する情報も迅速に取得することができる。
１−Ｃ：補足
（１）上述した実施形態においては、乗換駅が１箇所（Ｂ駅）の例を示しているが、乗換駅が２以上ある場合も、本発明を同様にして適用することができる。たとえば、前掲図４で示した電車路線において、ユーザがＡ駅（出発駅）からＥ駅（到着駅）まで行く場合を想定する。この場合は、Ａ駅の駅サーバ４１Ａは、電車路線情報メモリ４３ｘの内容から、乗換駅がＢ駅およびＤ駅である旨を判断する。そして、乗換駅情報メモリ４３ａの内容からＢ駅についての情報およびＤ駅についての情報についてそれぞれ取得する。そして、かかる情報を腕時計５０に送信することにより、ユーザは、Ａ駅にいながら、乗換駅がＢ駅およびＤ駅であることを認識でき、乗換駅であるＢ駅およびＤ駅に係る情報（乗換の道程や乗換時間の余裕等）についても併せて取得することができる。また、料金の精算は出発駅で行ってもよいし、到着駅で行ってもよい。
（２）また、上述した実施形態においては交通手段として鉄道（Ｘ鉄道、Ｙ鉄道）の例であったが、他の交通手段であっても本発明を適用することができる。たとえば、バスの停留所や飛行機の空港に上述したシステム１００を適用することとしてもよい。さらに、電車からバス、あるいは電車から飛行機に乗換えた場合等にも本発明を適用することができる。この場合であっても、メモリ４３の電車時刻情報メモリ４３ｂに相当する部分に、各交通手段の時刻表に相当する情報を格納しておけばよい。
（３）リード／ライト装置４５は改札口Ｇ以外に設置することとしてもよい。例えば、駅の売店傍、階段やエスカレータ脇、電車の乗換通路といった場所にリード／ライト装置４５を設置することにより、ユーザは所望する情報をいつでもどこでも取得することが可能になり、利便性が一層向上する。
（４）図２５は、リード／ライト装置４５をパーソナルコンピュータ（ＰＣ）７１に接続した簡易システム７０を公衆網３０に接続した例を示した図である。
このように、ＰＣ７１に所定のアプリケーションソフトウェアをインストールすることでリード／ライト装置４５との間のデータ通信を実行できるようにしてもよい。この簡易システム７０を自宅や会社に設置することにより、ユーザは自宅にいながら電車の情報や各駅の乗換案内等の情報を取得することも可能になる。さらに、腕時計のメモリ５０６に記憶されている腕時計の制御プログラムを、ＰＣに接続されたリード／ライト装置４５を介してインターネット等を介してダウンロードをし、書き換えることが可能になる。これにより、制御プログラムのアップデート、属性情報の変更等を容易にすることができる。これに限らず、駅構内の乗車券販売窓口、キオスク、案内所等に設置されるリード／ライト装置４５を介して常に最新の腕時計の制御プログラム等を更新するようにしてもよい。また、制御プログラムは、ＣＤ−ＲＯＭ、ＭＯ、フラッシュメモリ等のコンピュータ読み取り可能に格納された記憶媒体の形で配布されてもよい。
（５）腕時計５０とリード／ライト装置４５との間で認証を行う際の方法については任意である。例えば、腕時計５０に固有のＩＤ番号を予め割当てておき、リード／ライト装置４５は、腕時計５０のＩＤ番号を判別できた場合に、各種情報を配信することとしてもよい。
（６）上記実施形態において、駅サーバ４１にコンテンツサーバ２０の機能が備わっていてもよい。すなわち、オプション情報メモリ４３ｄにユーザの所望するサービス情報が格納される。ユーザは、ある駅の駅サーバ４１に所望するサービス情報の登録をすれば、その情報がすべての駅サーバ４１内のオプション情報メモリ４３ｄに記憶される。
また、サービス情報等を格納するオプション情報メモリ４３ｄは駅サーバ４１の外に設置してもよい。例えば、メモリ機能を有するサーバ（以下共有サーバと記する）を別途独立に設置し、共有サーバにオプション情報を格納する。この場合、例えば共有サーバは公衆網３０を介して各駅サーバ４１され、リード／ライト装置４５から腕時計５０へ送信すべき情報は、随時共有サーバから駅サーバへ送信される。このようにすれば、サービス情報等の共有化を図ることができる。また、例えば、複数の路線が乗り入れているサービス情報等が多い駅の駅サーバ４１にのみにメモリ４３を有し、メモリ４３を有さない駅サーバは近隣するメモリ４３を有する駅サーバ４１から公衆網もしくは専用網を介して随時情報を受け取るようにしてもよい。
（７）上述した実施形態における携帯無線装置は、無線通信機能を備えた腕時計であったが、本発明はこれに限るものではなく、例えば、携帯電話、電卓、ＰＤＡ（Ｐｅｒｓｏｎａｌ　Ｄｉｇｉｔａｌ　Ａｓｓｉｓｔａｎｔｓ）、翻訳機、万歩計、携帯型血圧計等であってもよい。また、その形状もカード型、ペンダント型など携帯に適したものならば任意である。また、受信した情報を表示部に表示していたが、これに限らず、例えば音声で情報をユーザに提供してもよい。
（８）上記説明では、双方向無線通信の方式については特に言及していないが、近距離の局地的な通信を行うことができるものであればよい。例えば、２．４５［ＧＨｚ］の無線周波数帯域を使うＢｌｕｅｔｏｏｔｈ（商標）等の通信プロトコルを利用してもよい。
（９）本実施形態における、携帯無線装置の制御プログラム
２：第２実施形態
上述した実施形態においては、本発明を乗換案内システムに適用したが、入室管理に適用してもよい。本実施携帯における無線情報配信装置は、第一実施形態と同様に、リード／ライト装置を有しており、ユーザのＩＤと各種情報とを格納するメモリを備えている。リード／ライト装置は、各部屋のドア付近に設置されており、ドアロックの施錠・解除またはドアの開閉動作を行う機能を有している。また携帯無線装置は表示部、ユーザを一意に特定するユーザＩＤを記憶している。
前記携帯無線装置を携帯したユーザがドア付近に立つと、当該携帯無線装置と前記無線情報配信装置とが前記リード／ライト装置を介して第一実施形態と同様に双方向無線通信を行う。すなわち、まず当該携帯無線装置は、リード／ライト装置からの要求信号を受信すると、携帯無線装置に記憶されている前記ユーザＩＤを送信し、前記無線情報配信装置は当該リード／ライト装置を介して当該ユーザＩＤを受信し、該ＩＤに基づいて認証を行う。認証に成功すると、当該リード／ライト装置によってドアロックの施錠・解除或いはドアの開閉動作が行われる。さらに、前記無線情報配信装置は、当該ユーザＩＤと、前記無線情報配信装置に格納されている情報とに基づいて、当該ユーザに応じた内容の情報を作成し、当該リード／ライト装置を介して当該携帯無線装置へ送信する。受信した情報は当該携帯無線装置の表示部に表示される。図２６は表示部に表示される画面の一例を示したものである。同図に示されるように、ユーザはＩＤに応じた固有のメッセージを受け取ることができる。退出時にも同様の動作を行うようにすれば、誰が何時から何時まで部屋を使ったのかというような、部屋の使用状況を容易に把握することも可能である。
３：第３実施形態
図２７は、本発明のシステムをアミューズメントパーク等に適用したときに、入場者の携帯する携帯無線装置に表示される情報の一例を示したものである。
本実施形態において、無線情報配信装置は入場者を一意に特定するユーザＩＤとユーザの入場履歴とを記憶しており、ユーザの携帯する携帯無線装置には、購入したチケット情報のほかに、ＩＤ、性別、年齢、嗜好などの個人情報が含まれており、前記アミューズメントパークの入場口にはリード／ライト装置が備え付けられている。ユーザが入場口に近づくと、携帯無線装置と無線情報配信装置とがリード／ライト装置を介して無線通信を行い、同図に示すような内容の情報が前記無線装置に表示される。これによって、ユーザはアミューズメントパークに関する情報を得ることができるだけでなく、アミューズメントパークの運営者は、個々のユーザに応じたメッセージを提供することによってユーザに親近感を与えることができる。
リード／ライト装置は各アトラクションの入場口に備えられていてもよい。例えば、入場希望者が入場口に近づくと、当該無線情報配信装置は当該リード／ライト装置を介してチケットと双方向無線通信を開始し、チケットに内包された情報に基づいてサービス情報の配信を行う。例えば、あらかじめ課された年齢制限に該当する入場者は入場できない等の旨を携帯無線装置に表示させる。また、アトラクションを利用する順番待ちの間、当該アトラクションや他のアトラクションに関する説明を表示してもよい。
４：第４実施形態
図２８は、本発明をコンサートチケット等の管理システムに適用したときに、ユーザの携帯する携帯無線装置に表示される情報の一例を示したものである。本実施形態において、無線情報配信装置にはチケットを購入したユーザと、その予約席の情報とが記憶されている。ユーザがコンサートチケットを購入すると、ユーザを一意に特定するユーザＩＤと、当該ユーザが購入した、座席情報を含むチケットに関する情報（コンサート名称、日時、会場名、開始時間等）が前記無線情報配信装置に記憶される。この携帯無線装置を携帯したユーザが所定のコンサート会場に赴き、入場口に設置されたリード／ライト装置に前記携帯無線装置を近づけると、当該リード／ライト装置を介して無線情報配信装置と携帯無線装置との間で双方向無線通信が行われる。リード／ライト装置からの要求信号を受信した前記携帯無線装置は、当該ユーザＩＤを送信する。前記無線情報配信装置は、このユーザＩＤを受信し、当該ＩＤに基づいて当該ユーザにたいして認証を行う。当該ユーザが正当なユーザであると判断すると、ゲートを開けるなどして入場を許可する。とともに、データによって表わされる座席の位置を示す画像データを当該リード／ライト装置を介して当該携帯無線装置へ送信する。その結果、当該携帯無線装置の表示部に予約した座席の位置が図のように表示される。これによってユーザは、自分の座席を容易に確認することができる。または、各座席に前記送受信部が設けられ、予め無線情報配信装置に登録されたユーザの所望するサービス情報を配信してもよい。例えば、今演奏されている曲や、作曲者、演奏者に関する情報である。
５：第５実施形態
図２９は、本発明を電子マネーシステムに適用したとき携帯無線装置に表示される情報の一例である。
本実施形態においては、携帯無線装置に電子マネー情報が格納されており、例えば、ユーザが店で商品を購入しレジで支払いをする際に、ユーザが前記携帯無線装置を店に設置されるリード／ライト装置に近づける。すると、リード／ライト装置を介して携帯無線装置と無線情報配信装置が双方向無線通信を行い、電子マネーがやり取りされる。このため、ユーザは、クレジットカードのような接触型のＩＣカードのように、電子マネー情報が格納されたカードを店員に渡す必要がなく、セキュリティの面で優れているシステムが提供される。さらに、この際、同図に示すように予め携帯無線装置に記憶されている個人情報（ＩＤ、性別、年齢、嗜好等）に基づいて、商品情報や商品広告あるいは獲得ポイントなどがユーザに配信される。ここでは、ユーザが、女性で年齢が２０歳代という個人情報に基づく例で、化粧品の新製品情報の表示例である。また、販売店は、ユーザの年齢を判断してアルコールやタバコの販売を制限することも可能である。
上記第２実施形態から第５実施形態までの詳細な説明は省略したが、上記実施形態における無線情報配信装置および携帯無線装置の構成及びその制御方法は、各実施形態に応じて最適化され用いられる。同様に、その制御プログラムは各実施形態に応じて適宜変形することが可能であり、また制御プログラムが格納された記憶媒体の形も各実施形態に最適なものを選ぶことができることはいうまでもない。
以上、本発明の実施形態の説明を行ったが、上記実施形態はあくまでも本発明の一例であり、本発明の趣旨の範囲内で任意に変形を加えることができるのはいうまでもない。
【図面の簡単な説明】
図１は本発明の本実施形態に係る乗換情報システムのシステム構成図である。
図２は同システムにおける駅システム４０の構成図である。
図３は同システムにおける駅サーバ４１のメモリ４３の内容を示す図である。
図４は同システムにおける電車路線情報メモリ４３ｘの内容を模式的に示す図である。
図５は同システムにおける乗換駅情報メモリ４３ａの内容を模式的に示す図である。
図６は同システムにおけるリード／ライト装置４５の構成図である。
図７は同システムにおけるリード／ライト装置４５の設置例を示す図である。
図８は同システムにおけるリード／ライト装置４５の設置例を示す図である。
図９は同システムにおけるリード／ライト装置４５の設置例を示す図である。
図１０は同システムにおけるリード／ライト装置４５の設置例を示す図である。
図１１は同システムにおける腕時計５０の構成図である。
図１２は同システムの動作を示すシーケンスチャートである。
図１３は同システムの腕時計５０の動作を示すフローチャートである。
図１４は同システムにおけるサービス情報の流れを示す図である。
図１５は同システムにおいて腕時計５０の表示部５１４に表示される内容を例示するものである。
図１６は同システムにおいて腕時計５０の表示部５１４に表示される内容を例示するものである。
図１７は同システムにおいて腕時計５０の表示部５１４に表示される内容を例示するものである。
図１８は同システムにおいて腕時計５０の表示部５１４に表示される内容を例示するものである。
図１９は同システムにおいて腕時計５０の表示部５１４に表示される内容を例示するものである。
図２０は同システムにおいて腕時計５０の表示部５１４に表示される内容を例示するものである。
図２１は同システムにおいて腕時計５０の表示部５１４に表示される内容を例示するものである。
図２２は同システムにおいて腕時計５０の表示部５１４に表示される内容を例示するものである。
図２３は同システムにおいて腕時計５０の表示部５１４に表示される内容を例示するものである。
図２４は同システムにおいて腕時計５０の表示部５１４に表示される内容を例示するものである。
図２５は変形例を説明するための図である。
図２６は第２実施形態における携帯無線装置の表示部に表示される内容を例示するものである。
図２７は第３実施形態における携帯無線装置の表示部に表示される内容を例示するものである。
図２８は第４実施形態における携帯無線装置の表示部に表示される内容を例示するものである。
図２９は第５実施形態における携帯無線装置の表示部に表示される内容を例示するものである。
【図１】
2002025984.tif 000003
【図２】
2002025984.tif 000004
【図３】
2002025984.tif 000005
【図４】
2002025984.tif 000006
【図５】
2002025984.tif 000007
【図６】
2002025984.tif 000008
【図７】
2002025984.tif 000009
【図８】
2002025984.tif 000010
【図９】
2002025984.tif 000011
【図１０】
2002025984.tif 000012
【図１１】
2002025984.tif 000013
【図１２】
2002025984.tif 000014
【図１３】
2002025984.tif 000015
【図１４】
2002025984.tif 000016
【図１５】
2002025984.tif 000017
【図１６】
2002025984.tif 000018
【図１７】
2002025984.tif 000019
【図１８】
2002025984.tif 000020
【図１９】
2002025984.tif 000021
【図２０】
2002025984.tif 000022
【図２１】
2002025984.tif 000023
【図２２】
2002025984.tif 000024
【図２３】
2002025984.tif 000025
【図２４】
2002025984.tif 000026
【図２５】
2002025984.tif 000027
【図２６】
2002025984.tif 000028
【図２７】
2002025984.tif 000029
【図２８】
2002025984.tif 000030
【図２９】
2002025984.tif 000031
【国際調査報告】
2002025984.tif 000032
2002025984.tif 000033
2002025984.tif 000034